(57)【要約】【課題】照明装置が発する光の点灯態様を簡易に設定変更することができる照明制御装置、照明装置、照明システム、照明制御方法及びプログラムを提供する。【解決手段】照明制御装置２０は、光を発する発光モジュール３０に供給する電力を制御する照明制御装置２０であって、光の出力に関する複数の項目に対応するパラメータの範囲を示す各々の設定範囲を示す情報を格納する記憶部２２と、各々の設定範囲から選択された各々の選択値に基づいて、明暗を繰り返しながら、発光モジュール３０が発する光の出力を減衰させるように、発光モジュール３０に供給する電力を制御する制御部２１とを備える。【選択図】図２
2019129116.tif 000002
【特許請求の範囲】
【請求項１】
光を発する光源部に供給する電力を制御する照明制御装置であって、
光の出力に関する複数の項目に対応するパラメータの範囲を示す各々の設定範囲を示す情報を格納する記憶部と、
前記各々の設定範囲から選択された各々の選択値に基づいて、明暗を繰り返しながら、前記光源部が発する光の出力を減衰させるように、前記光源部に供給する電力を制御する制御部とを備える
照明制御装置。
【請求項２】
前記制御部は、さらに、前記各々の選択値を１つの組として生成した制御コマンドを前記記憶部に格納する
請求項１に記載の照明制御装置。
【請求項３】
前記制御部は、
明暗を繰り返しながら前記光源部が発する光の出力を減衰させるように前記光源部を点灯させる揺らぎモードを有し、
前記揺らぎモードで前記光源部を制御する場合に、前記記憶部に格納されている前記制御コマンドを実行する
請求項２に記載の照明制御装置。
【請求項４】
前記制御部は、
規定期間において、同一の前記制御コマンドを使用した使用数を示す履歴情報を前記記憶部に格納し、
前記履歴情報に基づいて、前記使用数が規定数以上であれば、前記制御コマンドを構成する前記各々の選択値のうちの少なくとも一つを変化させ、変化後の前記制御コマンドを実行する
請求項２又は３に記載の照明制御装置。
【請求項５】
前記制御部は、前記履歴情報に基づいて、前記使用数が規定数以上であれば、前記選択値を変化させる頻度を上げる
請求項４に記載の照明制御装置。
【請求項６】
さらに、外部装置と通信を行う通信部を備え、
前記制御部は、
前記通信部を介して、前記揺らぎモードで前記光源部を制御する制御コマンドを、前記外部装置から受信し、
受信した制御コマンドを前記記憶部に格納する
請求項３に記載の照明制御装置。
【請求項７】
前記制御部は、
第１ユーザ自身を特定する個人データ、前記第１ユーザの活動量を示す活動データ、及び前記第１ユーザの生活状態を示す生活データのうち、少なくとも一つのデータが、第２ユーザ自身を特定する個人データ、前記第２ユーザの活動量を示す活動データ、及び前記第２ユーザの生活状態を示す生活データの少なくとも一つのデータに共通する場合に、前記通信部を介して、前記外部装置から制御コマンドを受信し、
受信した制御コマンドを前記記憶部に格納する
請求項６に記載の照明制御装置。
【請求項８】
前記制御部は、
前記第１ユーザ自身を特定する個人データ、前記第１ユーザの活動量を示す活動データ、及び、前記第１ユーザの生活状態を示す生活データの、少なくともいずれかを含む第１ユーザ情報と、前記第２ユーザ自身を特定する個人データ、前記第２ユーザの活動量を示す活動データ、及び、前記第２ユーザの生活状態を示す生活データの、少なくともいずれかを含む第２ユーザ情報とを管理し、
前記第１ユーザ及び前記第２ユーザのそれぞれのアカウント情報を前記記憶部に登録し、
前記第１ユーザのアカウント情報に対応した制御コマンド及び前記第１ユーザ情報を記憶部に登録させ、かつ、前記第２ユーザのアカウント情報に対応した制御コマンド及び前記第２ユーザ情報を前記記憶部に登録させ、
前記第１ユーザ及び前記第２ユーザのそれぞれのアカウント情報に対応する、前記記憶部に格納されたそれぞれの制御コマンドへのアクセスを管理する
請求項７に記載の照明制御装置。
【請求項９】
さらに、前記各々の選択値を選択した履歴を分析する履歴分析部を備え、
前記履歴分析部は、前記記憶部に記憶された複数の前記制御コマンドを構成する前記各々の選択値を、前記項目ごとに分類し、各々の前記項目内で同一の選択値を選択した頻度が規定値以上となる高頻度選択値を抽出し、抽出した前記高頻度選択値を前記制御部に出力し、
前記制御部は、前記制御コマンドを構成する前記各々の選択値のうちの、前記高頻度選択値の対象となる選択値を、変化させる対象から除外する
請求項２〜８のいずれか１項に記載の照明制御装置。
【請求項１０】
請求項１〜９のいずれか１項に記載の照明制御装置と、
光を発する光源部と、
前記各々の設定範囲から各々の選択値を選択し、選択した前記各々の選択値に基づいて、制御コマンドを生成する指示を前記制御部に与える指示部とを備える
照明装置。
【請求項１１】
さらに、前記制御コマンドに基づいて前記光源部が発する光の出力を定量的又は定性的に変化させる選択肢を表示する表示部を備え、
前記制御部は、前記選択肢で選択された内容に応じ、前記制御コマンドに基づいて前記光源部が発する光の出力を変更する
請求項１０に記載の照明装置。
【請求項１２】
請求項７又は８に記載の照明制御装置を搭載する端末機器と、
光を発する光源部とを備え、
前記端末機器は、前記第１ユーザの前記個人データ、前記第１ユーザの前記活動データ、及び、前記第１ユーザの前記生活データのうち、少なくとも一つのデータが、前記第２ユーザの前記個人データ、前記第２ユーザの前記活動データ、及び、前記第２ユーザの前記生活データの少なくとも一つのデータに共通する場合に、前記通信部を介して、外部装置から制御コマンドを受信する
照明システム。
【請求項１３】
光を発する光源部に供給する電力を制御する照明制御方法であって、
光の出力に関する複数の項目に対応する複数のパラメータを格納する工程と、
前記各々の設定範囲から選択された各々の選択値に基づいて、明暗を繰り返しながら、前記光源部が発する光の出力を減衰させるように、前記光源部に供給する電力を制御する工程とを含む
照明制御方法。
【請求項１４】
前記各々の選択値は、各々の設定範囲からランダムに選択する
請求項１３に記載の照明制御方法。
【請求項１５】
請求項１３又は１４に記載の照明制御方法をコンピュータに実行させる
プログラム。
【発明の詳細な説明】
【技術分野】
【０００１】
本開示は、照明制御装置、照明制御装置を用いた照明装置、照明システム、照明制御方法及びプログラムに関する。
【背景技術】
【０００２】
複数の光源は、５８０ｎｍ以上の波長域である第１の波長域の分光成分を有する光を発する第１の光源と、５８０ｎｍ以下の波長域である第２の波長域の分光成分を有する光を発する第２の光源１２とを含む照明装置が開示されている（例えば特許文献１参照）。
【０００３】
この照明装置では、被照射者の眼の開閉状態の如何に関わらず、被照射者に光刺激を付与して被照射者の覚醒を効果的に促している。
【先行技術文献】
【特許文献】
【０００４】
【特許文献１】特開２００９−２６６４８４号公報
【発明の概要】
【発明が解決しようとする課題】
【０００５】
このような照明装置では、予め設定された所定範囲の光を発するように制御している。このため、長期間に亘ってこの照明装置を使用した場合に、ユーザが飽きを感じてしまう。ユーザは、飽きを解消するために、照明装置の点灯態様を設定変更する。しかし、ユーザにとっては、所望の態様で点灯させるための設定が煩わしく、手間が掛かる。
【０００６】
そこで、本開示は、照明装置が発する光の点灯態様を簡易に設定変更することができる照明制御装置、照明装置、照明システム、照明制御方法及びプログラムを提供することを目的とする。
【課題を解決するための手段】
【０００７】
上記目的を達成するため、本開示の一態様に係る照明制御装置は、光を発する光源部に供給する電力を制御する照明制御装置であって、光の出力に関する複数の項目に対応するパラメータの範囲を示す各々の設定範囲を示す情報を格納する記憶部と、前記各々の設定範囲から選択された各々の選択値に基づいて、明暗を繰り返しながら、前記光源部が発する光の出力を減衰させるように、前記光源部に供給する電力を制御する制御部とを備える。
【０００８】
また、本開示の一態様に係る照明装置は、照明制御装置と、光を発する光源部と、前記各々の設定範囲から各々の選択値を選択し、選択した前記各々の選択値に基づいて、制御コマンドを生成する指示を前記制御部に与える指示部とを備える。
【０００９】
また、本開示の一態様に係る照明システムは、照明制御装置を搭載する端末機器と、光を発する光源部とを備え、前記端末機器は、前記第１ユーザの前記個人データ、前記第１ユーザの前記活動データ、及び、前記第１ユーザの前記生活データのうち、少なくとも一つのデータが、前記第２ユーザの前記個人データ、前記第２ユーザの前記活動データ、及び、前記第２ユーザの前記生活データの少なくとも一つのデータに共通する場合に、前記通信部を介して、外部装置から制御コマンドを受信する。
【００１０】
また、本開示の一態様に係る照明制御方法は、光を発する光源部に供給する電力を制御する照明制御方法であって、光の出力に関する複数の項目に対応する複数のパラメータを格納する工程と、前記各々の設定範囲から選択された各々の選択値に基づいて、明暗を繰り返しながら、前記光源部が発する光の出力を減衰させるように、前記光源部に供給する電力を制御する工程とを含む。
【００１１】
また、本開示の一態様に係るプログラムは、照明制御方法をコンピュータに実行させる。
【発明の効果】
【００１２】
本開示によれば、照明装置が発する光の点灯態様を簡易に設定変更することができる。
【図面の簡単な説明】
【００１３】
【図１】図１は、実施の形態１に係る照明システムのブロック図である。
【図２】図２は、実施の形態１に係る照明装置の揺らぎモードでの明暗信号を示す図である。
【図３Ａ】図３Ａは、谷部の頂点から山部の頂点へ推移するカーブの設定範囲の一例を示す図である。
【図３Ｂ】図３Ｂは、山部の頂点から谷部の頂点へ推移するカーブの設定範囲の一例を示す図である。
【図３Ｃ】図３Ｃは、各々の明暗信号の内容である選択値を示す図である。
【図４】図４は、複数の項目におけるユーザの主観評価結果を示す図である。
【図５Ａ】図５Ａは、連続使用日数に応じてランダムに変化させた明暗信号を例示した図である。
【図５Ｂ】図５Ｂは、通算使用日数に応じて明暗信号を変化させる頻度を例示した図である。
【図６】図６は、実施の形態１に係る照明システムの端末機器の選択肢を示す模式図である。
【図７】図７は、各々のユーザの個人データを示す図である。
【図８】図８は、各々のユーザの活動データを示す図である。
【図９】図９は、各々のユーザの生活データを示す図である。
【図１０】図１０は、実施の形態２に係る照明制御装置が外部装置から制御コマンドを取得する工程を示すフロー図である。
【図１１】図１１は、実施の形態３に係る照明システムのブロック図である。
【図１２】図１２は、複数の制御コマンドから高頻度選択値を抽出する方法を例示した図である。
【図１３】図１３は、複数の制御コマンドから抽出した高頻度選択値を除外する工程を示すフロー図である。
【図１４】図１４は、変形例に係る照明システムのブロック図である。
【発明を実施するための形態】
【００１４】
以下、本開示の実施の形態について、図面を参照しながら説明する。以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
以下、本開示の実施の形態に係る照明制御装置、照明装置、照明システム、照明制御方法及びプログラムについて説明する。
【００１７】
（実施の形態１）
［構成］
本開示の実施の形態に係る照明制御装置２０、照明装置１０、照明システム１、照明制御方法及びプログラムの構成について説明する。
【００１８】
図１は、実施の形態１に係る照明装置１０のブロック図である。
【００１９】
図１に示すように、照明装置１０は、発光モジュール３０の点灯を脈動的な変動を与えるように明暗を繰り返しながら、発光モジュール３０が発する光の出力を減衰させるような点灯態様の照明を行う装置である。照明装置１０は、照明制御装置２０と、発光モジュール３０と、操作部４０と、表示部５０とを備える。
【００２０】
照明制御装置２０は、発光モジュール３０が発する光の出力を制御する装置である。照明制御装置２０が電力を脈動的かつ減衰させながら発光モジュール３０に供給することで、発光モジュール３０が明暗を繰り返しながら、光の出力が減衰する。照明制御装置２０は、制御部２１と、記憶部２２と、通信部２３とを備える。
【００２１】
制御部２１は、各々の選択値に基づいて、明暗を繰り返しながら、発光モジュール３０が発する光の出力を減衰させるように、発光モジュール３０に供給する電力を制御する。具体的には、制御部２１は、発光モジュール３０の点灯、消灯、調光、又は調色等の動作を制御する駆動回路を有する。駆動回路は、発光モジュール３０が明暗を繰り返しながら、発光モジュール３０が発する光の出力を減衰させるように、電力を脈動的かつ減衰させながら発光モジュール３０に供給する。発光モジュール３０に供給する電力を制御は、光源部に供給する電力を制御する工程に相当する。
【００２２】
制御部２１は、通常モードと揺らぎモードとを有する。
【００２３】
通常モードは、発光モジュール３０を通常の状態で点灯させるモードである。つまり、通常モードは、単に周囲を照明するだけであり、揺らぎモードと異なり、揺らぎモードのように光の出力を減衰させるわけではない。
【００２４】
揺らぎモードは、明暗を繰り返しながら発光モジュール３０が発する光の出力を減衰させるように発光モジュール３０を点灯させる。つまり、揺らぎモードでは、照明装置１０の発する光が明るくなったり、暗くなったりすることを繰り返しながら、発光モジュール３０が発する光の出力を時間の経過とともに次第に暗くする。言わば、制御部２１は、初期値と目標値とを定め、初期値から目標値にかけて、明暗を繰り返しながら次第に光の出力を減衰させていく。明暗を繰り返すとは、照明装置１０が発する光が明るくなったり、暗くなったりを繰り返すことである。このため、暗くなるとは、発光モジュール３０が消灯してもよい。なお、本実施の形態では、目標値は、初期値よりも小さいが、必ずしもこの限りではない。
【００２５】
制御部２１は、揺らぎモードで発光モジュール３０を制御する場合に、記憶部２２に格納された制御コマンドを実行する。つまり、制御部２１は、揺らぎモードで行われる点灯態様に相当する制御コマンドを、記憶部２２から読み出し、制御コマンドに応じて発光モジュール３０に供給する電力を制御する。
【００２６】
揺らぎモードでの照明装置１０の点灯態様について説明する。
【００２７】
図２は、実施の形態１に係る照明装置１０の揺らぎモードでの明暗信号を示す図である。図２は、発光モジュール３０が発する光の出力と経過時間との関係を示す制御コマンド、つまり明暗信号を示す。図２では、縦軸を光の出力とし横軸を経過時間とする。図２では、光の出力が時間の経過とともに、明暗を繰り返しながら、発光モジュール３０が発する光の出力を減衰させている。本実施の形態では、明暗信号の一例として、６つの山部と６つの谷部とがある図２を用いる。６つの山部のうち、左側から右側に向けて順番に第１〜６の山部とし、６つの谷部のうち、左側から右側に向けて順番に第１〜６の谷部とする。
【００２８】
図２に示すように、明暗信号における第１の山部の頂点である最大振幅をＡとし、明暗信号における第１の谷部の頂点である最小振幅をＢとし、第１の山部の頂点から第２の山部の頂点までの１つの振幅の制御時間をＣとし、谷部の頂点から山部の頂点へ推移するカーブをＤとし、山部の頂点から谷部の頂点への推移するカーブをＥとし、第２の山部及び第２の谷部以降となる第２〜６の山部及び第２〜６の谷部で推移するカーブをＦとし、山部の頂上で維持される最大振幅の維持時間をＧとし、他に部の頂上で維持される最小振幅の維持時間をＨとし、明暗を行う合計制御時間をＩとする。
【００２９】
上記Ａ〜Ｉは、光の出力に関する複数の項目に相当する。つまり、上記Ａ〜Ｉは、１つの明暗信号を構成するためのそれぞれのパラメータである。明暗信号は、これらのパラメータを組み合わせることで得られる。
【００３０】
上記Ａ〜Ｉのそれぞれには、上記Ａ〜Ｉに対応する各々の設定範囲が、予め決定されている。つまり、制御部２１は、上記Ａ〜Ｉに対応する各々の設定範囲から、個々に上記Ａ〜Ｉのパラメータを選択して、明暗信号を生成する。選択したパラメータは、後述する選択値である。
【００３１】
本実施の形態では、実験計画法を用いて以下のＡ〜Ｉの複数の項目の各々の設定範囲から選択値を選択した。上記Ａ〜Ｉに対応する各々の設定範囲について説明する。
【００３２】
図３Ａは、谷部の頂点から山部の頂点へ推移するカーブの設定範囲の一例を示す図である。図３Ｂは、山部の頂点から谷部の頂点へ推移するカーブの設定範囲の一例を示す図である。図３Ａ及び図３Ｂの縦軸は光の出力であり、制御時間Ｃである。図３Ｃは、各々の明暗信号の内容である選択値を示す図である。
【００３３】
制御部２１は、Ａ〜Ｉの項目に対応した各々の設定範囲から、任意又は無作為に選択値を選択することが可能である。例えば、最大振幅Ａでは、例えば設定範囲０．５＜α≦１から、任意又は無作為に選択値αを選択することが可能である。最小振幅Ｂでは、例えば設定範囲０≦β≦０．５から、任意又は無作為に選択値βを選択することが可能である。制御時間Ｃでは、例えば数秒から数十秒までの設定範囲から選択値を選択することが可能である。また、制御時間Ｃは、選択した選択値を一定にするか、変動にするかについても選択することができる。「一定」、「変動」も設定範囲に相当する。制御時間Ｃは、カーブＤの所要時間（ａ０〜ａ１）、カーブＥの所要時間（ａ２〜ａ３）及び維持時間Ｈ（ａ１〜ａ２）の全ての合計時間と等しい。つまり、制御時間Ｃは、ａ０からａ３までの間の時間である。
【００３４】
なお、制御時間Ｃは、図２では、第１の山部から第６の山部に向かうにつれて、時間が短くなっているが、時間が同一であってもよい。
【００３５】
カーブＤについては図３Ａ、カーブＥについては図３Ｂから選択する。
【００３６】
カーブＤでは、例えば、谷部の頂点から山部の頂点へ直線状に増加する場合の直線Ｄ０、曲線状に増加する場合の曲線Ｄ１、曲線Ｄ２を設定範囲とする。また、曲線Ｄ１、曲線Ｄ２の傾きは、図３Ａに限定されない。カーブＥでは、例えば、山部の頂点から谷部の頂点へ直線状に減少する場合の直線Ｅ０、曲線状に減少する場合の曲線Ｅ１、曲線Ｅ２を設定範囲とする。また、曲線Ｅ１、曲線Ｅ２の傾きは、図３Ｂに限定されない。
【００３７】
カーブＦにおいても、直線Ｄ０、直線Ｅ１のような直線状、曲線Ｄ１、曲線Ｄ２、曲線Ｅ１、曲線Ｅ２のような曲線を設定範囲とする。図３Ｃに示すように、カーブＦでは、第２の山部以降の山部の高さを、ランダムに下降（ランダム下降）させるか、一定の基準で下降（一定下降）させるかを選択することができる。「ランダム下降」、「一定下降」も設定範囲に相当する。
【００３８】
図２及び図３Ｃに示すように、最大振幅の維持時間Ｇ、及び、最小振幅の維持時間Ｈでは、例えば数秒から数十秒までの設定範囲から選択値を選択することが可能である。維持時間Ｈでは、ａ１からａ２までの間の時間が設定範囲である。合計制御時間Ｉでは、例えば数秒から数百秒までの設定範囲から選択値を選択することが可能である。合計制御時間Ｉは、第１〜６の山部、第１〜６の谷部及び維持時間Ｇ、Ｈを合計した時間である。
【００３９】
図４は、複数の項目におけるユーザの主観評価結果を示す図である。図４では、各々の設定範囲におけるユーザの好ましさを示す。図４では、５人の被験者を対象に、好ましさを７段階で評価し、段階の数値が高いほど好ましいとした。
【００４０】
図４の（ａ）では、カーブＤにおいて、縦軸を好ましさとし、横軸を曲線Ｄ１、直線Ｄ０、曲線Ｄ２の設定範囲とした。図４の（ｂ）では、カーブＥにおいて、縦軸を好ましさとし、横軸を曲線Ｅ１、直線Ｅ０、曲線Ｅ２の設定範囲とした。図４の（ｃ）では、カーブＤの所要時間において、縦軸を好ましさとし、横軸を５秒から１０秒までの時間の設定範囲とした。図４の（ｄ）では、カーブＥの所要時間において、縦軸を好ましさとし、横軸を５秒から１０秒までの時間の設定範囲とした。図４の（ｅ）では、維持時間Ｈにおいて、縦軸を好ましさとし、横軸を１秒から５秒までの時間の設定範囲とした。図４の（ｆ）では、維持時間Ｇにおいて、縦軸を好ましさとし、横軸を１秒から５秒までの時間の設定範囲とした。図４の（ｇ）では、制御時間Ｃにおいて、縦軸を好ましさとし、横軸を「一定」、「変動」とする設定範囲とした。図４の（ｈ）では、カーブＦにおいて、縦軸を好ましさとし、横軸を「一定下降」、「ランダム下降」とする設定範囲とした。図４の（ｉ）では、合計制御時間Ｉにおいて、縦軸を好ましさとし、横軸を「一定」、「変動」とする設定範囲とした。図４の（ａ）〜図４の（ｉ）の縦軸は共通させ、メモリを省略する。
【００４１】
これらの結果から、カーブＥでは曲線Ｅ１又は直線Ｅ０、カーブＤでは曲線Ｄ１、制御時間Ｃでは「変動」、カーブＦでは「一定下降」が好ましいことが判った。また、カーブＥの所要時間、カーブＤの所要時間、維持時間Ｈ、維持時間Ｇ、及び合計制御時間Ｉでは、若干の傾きはあるものの、設定範囲内ではどの時間を選択しても、好ましさにさほど変化はないことが判った。
【００４２】
このように、上記Ａ〜Ｉのそれぞれにおいて、図３Ａ〜図３Ｃに示す上記Ａ〜Ｉに対応する各々の設定範囲の中から任意又は無作為に１の選択値をそれぞれ選択し、制御部２１は、各々の選択値を１つの組とした、図２に示す明暗信号、つまり制御コマンドを生成する。制御部２１が制御コマンドを駆動回路に出力することで、駆動回路は、制御コマンドに応じて、電力を脈動的、かつ、時間の経過とともに電力を減衰させるように、発光モジュール３０に電力を供給する。これにより、発光モジュール３０は、明暗を繰り返しながら、発する光の出力を目標値まで減衰させる。
【００４３】
このことから、制御部２１は、ユーザが操作する操作部４０を介して入力された指示に基づいて、新たな制御コマンドを生成することが可能である。制御部２１は、各々の選択値を１つの組とした制御コマンドを記憶部２２に格納する。制御コマンドを記憶部２２に格納することは、複数のパラメータを格納する工程に相当する。
【００４４】
制御部２１は、規定期間において、同一の制御コマンドを使用した使用数を示す履歴情報を記憶部２２に格納する。つまり、制御部２１は、同一の制御コマンドにおいて、通算で制御コマンドを使用した通算使用日数、制御コマンドの使用回数、制御コマンドの連続使用回数等といった使用数を示す履歴情報を記憶部２２に格納する。制御部２１は、制御コマンド毎にこのような履歴情報を記憶部２２に格納する。通算使用日数、使用回数、連続使用回数等は、使用数の一例である。
【００４５】
このことから、制御部２１は、履歴情報に基づいて、使用数が規定数以上であるか否かを判断することができる。制御部２１は、履歴情報に基づいて、使用数が規定数以上であれば、制御コマンドを構成する各々の選択値のうちの少なくとも一つを変化させ、変化後の制御コマンドを実行する。制御部２１は、変化後の制御コマンドを記憶部２２に格納する。
【００４６】
具体的な例を挙げて説明すると、ある制御コマンドの初期設定値である最大振幅Ａの光の出力を１、最小振幅Ｂの光の出力を０．５、制御時間Ｃを１０秒とする。この場合、この制御コマンドを連続して使用するに際し、連続使用日数の増加に応じて、制御部２１は、制御コマンドを構成する各々の項目に対応する各々の選択値を変化させる。例えば、連続使用日数が予め設定した規定日数以上であれば、制御部２１は、制御コマンドを構成する各々の項目のうちの少なくとも一つ、例えば、制御時間Ｃの１０秒を７秒に変化させる。変化させる項目は、乱数等を用いてランダムに変化させてもよく、周期的に変化させてもよい。また、各々の項目に対応する各々の選択値は、設定範囲からランダムに選択値を選択してもよく、選択値を予め設定した周期に基づいて、周期的に選択してもよい。規定日数は、規定数の一例である。
【００４７】
連続使用日数に応じてランダムに明暗信号を変化させる場合を図５Ａに示す。図５Ａは、連続使用日数に応じてランダムに変化させた明暗信号を例示した図である。
【００４８】
図５Ａでは、複数の選択値の内、制御時間Ｃに対応する選択値だけが変化した場合を示している。例えば、１日目では初期設定値の制御コマンドを用いて照明装置１０を制御したが、２日目では制御時間Ｃを１日目に比べて長く設定変更し、３日目では制御時間Ｃを１日目に比べて短く設定変更した。
【００４９】
なお、連続使用回数２日目以降から制御コマンドを変更することは、必ずしも必要ではなく、３日目以降でもよい。例えば、連続使用日数、又は通算使用日数が予め設定した規定日数を超えてから、制御コマンドを変更してもよい。
【００５０】
また、制御部２１は、履歴情報に基づいて、同一の制御コマンドの使用数が規定数以上であれば、選択値を変化させる頻度を上げる。通算使用日数に応じて明暗信号を変化させる場合について、図５Ｂを用いて具体的な例を挙げて説明する。
【００５１】
なお、ユーザが任意に選択値を選択する場合では、連続使用日数に応じて、制御コマンドの設定画面を表示部５０に表示させてもよい。例えば、連続使用日数が１００日目から２００日目までの間となる場合、最大２００通りの制御コマンドが出力される。連続使用日数が２００日となった場合では、ユーザは、履歴情報を確認することで、２００通りの制御コマンドのうち、所望の制御コマンドを実行することができる。
【００５２】
図５Ｂは、通算使用日数に応じて明暗信号を変化させる頻度を例示した図である。
【００５３】
図５Ｂに示すように、同一の制御コマンドを９０日間使用した場合において、制御部２１は、最初の３０日間は制御コマンドを変化させず、３１日目から６０日目までの間を６日に一度、連続使用している制御コマンドを変化させ、６１日目から９０日目までの間を２日に一度、連続使用している制御コマンドを変化させる。つまり、制御部２１は、通算使用日数が第１の規定数の３１以上となれば、制御コマンドを変化させる頻度を上げ、通算使用日数が第２の規定数の６１以上となれば、さらに、制御コマンドを変化させる頻度を上げる。
【００５４】
何故ならば、通算使用日数が低い値である場合、ユーザが使用を開始してからそれほど日数が経っておらず、まだ揺らぎモード自体に馴染んでいな場合がある。このため、制御コマンドを設定変更せずに、ユーザに飽きが生じ始める頃合いから、徐々に制御コマンドを設定変更し始めていく。
【００５５】
なお、この照明装置１０では、通算使用日数が１日の場合では制御コマンドの変更頻度を低く設定したり、通算使用日数が何百日となる場合では制御コマンドの変更頻度を高く設定したりすることもできる。
【００５６】
図６は、実施の形態１に係る照明システム１の端末機器８０の選択肢を示す模式図である。
【００５７】
また、制御部２１は、選択肢で選択された内容に応じて、制御コマンドに基づいて発光モジュール３０が発する光の出力を変更する。具体的には、制御部２１が表示部５０に選択肢を表示させることで、ユーザが表示部５０に表示された選択肢から、所望の内容を選択する。例えば、制御部２１は、揺らぎモードにおいて、発光モジュール３０が発する光の明るさを明るくした「明るめ」、明るさを暗くした「暗め」といったような選択肢を表示部５０に表示させてもよい。制御部２１は、選択された内容に基づいて、制御コマンドに応じて発光モジュール３０が発する光の明るさを変える。
【００５８】
選択肢にて変更する発光モジュール３０が発する光の明るさは、例えば、揺らぎモードにおける最大振幅Ａの明るさである。最大振幅Ａでは、上記のように「明るめ」、「暗め」といった定性的な選択肢で選択されてもよく、例えば光の出力が０．３「暗め」〜０．８「明るめ」といった定量的な選択肢で選択されてもよい。また、選択肢は、２択であることに限定されず、３択以上の定性的な選択肢、具体的には、「非常に明るめ」、「かなり明るめ」、「やや明るめ」、「やや暗め」、「非常に暗め」といった選択肢でもよい。また、光の出力の定量的な選択肢が０．１〜１までであり、０．１刻みで設定することができてもよい。
【００５９】
図１に示すように、記憶部２２は、光の出力に関する複数の項目Ａ〜Ｉに対応する各々のパラメータの範囲を示す各々の設定範囲を示す情報を格納する。また、記憶部２２には、揺らぎモードにおける、標準設定された制御コマンドが予め格納されている。これにより、ユーザは、操作部４０を介して標準設定された制御コマンドにおける項目Ａ〜Ｉを自由に設定変更することで、所望の制御コマンドを生成することができる。さらに、記憶部２２は、揺らぎモードにおいて、過去にどのような制御コマンドを使用したかを示す履歴情報を格納している。つまり、記憶部２２には、履歴情報に対応する制御コマンドを格納されている。このため、履歴情報から、制御コマンドを実行することができたり、制御コマンドの設定変更することができたりする。
【００６０】
通信部２３は、クラウドサーバ９０と通信を行う通信モジュールである。通信部２３は、クラウドサーバ９０から制御コマンドを受信したり、記憶部２２に格納されているクラウドサーバ９０に制御コマンドを送信したりする。クラウドサーバ９０は、外部装置の一例である。このため、外部装置は、クラウドサーバ以外に、例えば、スマートフォン、他の照明装置等であってもよい。
【００６１】
発光モジュール３０は、基板と、基板に実装された複数のＬＥＤ素子とを有する。光源部は発光モジュール３０の一例である。
【００６２】
基板は、複数のＬＥＤ素子を実装するためのプリント配線基板であり、略矩形状に形成されている。基板としては、例えば、樹脂をベースとする樹脂基板、金属をベースとするメタルベース基板、セラミックからなるセラミック基板等を用いることができる。
【００６３】
ＬＥＤ素子は、ＬＥＤ（Ｌｉｇｈｔ  Ｅｍｉｔｔｉｎｇ  Ｄｉｏｄｅ）素子で構成されている。複数のＬＥＤ素子は、白色光、青色光、及び橙色光を発することが可能である。本実施の形態では、例えば、ＬＥＤ素子は、青色光、緑色光及び赤色光を発光するＲＧＢタイプのＬＥＤ素子である。なお、ＬＥＤ素子は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型のＬＥＤ素子であってもよい。ＬＥＤ素子は、ＲＧＢ３色に限られず、ＲＧＢＷ４色であってもよいし、ＢＷ２色（青白２色）であってもよい。ＬＥＤ素子は、光源部の一例であってもよい。
【００６４】
また、図示しないが、基板には、照明制御装置２０からの制御コマンドを伝送するための配線である信号線及び駆動回路からの電力を供給するための配線である電力線が設けられている。例えば、信号線及び電力線は、複数のＬＥＤ素子のそれぞれを直列に接続する。複数のＬＥＤ素子のそれぞれは、電力線を介して駆動回路から電力の供給を受け、信号線からの制御コマンドに基づいて規定の光を発する。本実施の形態では、ＬＥＤ素子はＲＧＢタイプの素子であることから、青色光、緑色光及び赤色光の発光を制御することで様々な色の光を発することができる。すなわち、照明制御装置２０によって各ＬＥＤ素子の発光を制御することで、例えば、明暗を繰り返しながら、発光モジュール３０が発する光の出力を減衰させることができる。
【００６５】
操作部４０は、各々の設定範囲から各々の選択値を選択し、選択した各々の選択値に基づいて、制御コマンドを生成する指示を制御部２１に与えることが可能である。
【００６６】
図１及び図６に示すように、具体的には、操作部４０は、複数の項目Ａ〜Ｉに対応する設定範囲から各々の選択値を選択することで、新たに制御コマンドを生成する指示を制御部２１に与えたり、既存の制御コマンドを変更することで新たな制御コマンドを生成する指示を制御部２１に与えたりすることが可能である。また、操作部４０は、生成した制御コマンドを記憶部２２に格納する指示を制御部２１に与えることが可能である。操作部４０は、指示部の一例である。
【００６７】
図１に示すように、操作部４０は、制御コマンドを生成するための入力インターフェイスであり、ユーザの指示を受付ける。操作部４０は、例えば、照明装置１０に電気的に接続された操作パネルでもよく、照明装置１０を無線通信して操作することが可能な、照明装置１０と独立したスマートフォン、リモートコントローラ等の操作パネルであってもよい。
【００６８】
表示部５０は、制御コマンドに基づいて発光モジュールが発する光の出力を定量的又は定性的に変化させる選択肢を表示する。つまり、制御部２１が表示部５０に選択肢を表示させることで、ユーザが表示部５０に表示された選択肢から、所望の内容を選択する。例えば、定性的とは、表示部５０に揺らぎモードにおける明るさを、明るくした「明るめ」、明るさを暗くした「暗め」の選択肢を表示させてもよい。また、定量的とは、一例を挙げると、表示部５０に揺らぎモードにおける明るさを、明るさ「１００％」、明るさ「８０％」、明るさ「６０％」、明るさ「４０％」、明るさ「２０％」、明るさ「０％」という選択肢を表示させてもよい。
【００６９】
表示部５０は、ユーザが制御コマンドを生成したり、制御コマンドを変更したりするための画面を表示する表示パネルである。表示部５０は、具体的には、液晶パネル、又は、有機ＥＬパネルなどによって実現される。
【００７０】
照明装置１０は、ネットワークを介して、クラウドサーバ９０と通信可能に接続されている。クラウドサーバは、他の照明装置１０、端末機器８０等の外部装置も通信可能に接続されている。クラウドサーバは、複数の照明装置１０、複数の端末機器８０等といった外部装置が保有する制御コマンドを管理するサーバである。クラウドサーバ９０は、外部装置の一例である。また、端末機器８０も外部装置の一例であってもよい。
【００７１】
照明装置１０は、ネットワークを介して、揺らぎモードで発光モジュール３０を制御する制御コマンドを、クラウドサーバ９０から受信することが可能である。照明装置１０の制御部２１は、通信部２３及びネットワークを介して、クラウドサーバ９０から制御コマンドを受信すると、受信した制御コマンドを記憶部２２に格納する。
【００７２】
［作用効果］
次に、本実施の形態における照明制御装置２０、照明装置１０、照明システム１、照明制御方法及びプログラムの作用効果について説明する。
【００７３】
上述したように、本実施の形態に係る照明制御装置２０は、光を発する発光モジュール３０に供給する電力を制御する照明制御装置２０であって、光の出力に関する複数の項目に対応するパラメータの範囲を示す各々の設定範囲を示す情報を格納する記憶部２２と、各々の設定範囲から選択された各々の選択値に基づいて、明暗を繰り返しながら、発光モジュール３０が発する光の出力を減衰させるように、発光モジュール３０に供給する電力を制御する制御部２１とを備える。
【００７４】
このように、記憶部２２には、光の出力に関する複数の項目に対応するパラメータの範囲を示す各々の設定範囲を示す情報が格納されている。制御部２１は、各々の設定範囲から選択された各々の選択値に基づいて、明暗を繰り返しながら、発光モジュール３０が発する光の出力を減衰させるように、発光モジュール３０に供給する電力を制御する。このため、例えば、照明制御装置２０を搭載した照明装置１０を長期間に亘って使用した場合であっても、ユーザが飽きを感じにくくなる。
【００７５】
また、ユーザが飽きを感じ無いように点灯態様を設定変更する場合に、各々の設定範囲から各々の選択値を選択する。選択された各々の選択値に基づいて、制御部２１は、発光モジュール３０に供給する電力を制御する。このため、照明装置１０が発する光の点灯態様を簡易に設定変更することができる。
【００７６】
したがって、この照明制御装置２０によれば、照明装置１０が発する光の点灯態様を簡易に設定変更することができる。
【００７７】
また、本実施の形態に係る照明装置１０は、照明制御装置２０と、光を発する発光モジュール３０と、各々の設定範囲から各々の選択値を選択し、選択した各々の選択値に基づいて、制御コマンドを生成する指示を制御部２１に与える指示部とを備える。
【００７８】
また、本実施の形態に係る照明制御方法は、光を発する発光モジュール３０に供給する電力を制御する照明制御方法であって、光の出力に関する複数の項目に対応する複数のパラメータを格納する工程と、各々の設定範囲から選択された各々の選択値に基づいて、明暗を繰り返しながら、発光モジュール３０が発する光の出力を減衰させるように、発光モジュール３０に供給する電力を制御する工程とを含む。
【００７９】
また、本実施の形態に係るプログラムは、照明制御方法をコンピュータに実行させる。
【００８０】
これらにおいても、上述と同様の作用効果を奏する。
【００８１】
また、本実施の形態に係る照明制御方法において、各々の選択値は、各々の設定範囲からランダムに選択する。
【００８２】
この方法によれば、ランダムに制御コマンドを提供することで、ユーザにとって飽き難い点灯態様で、照明装置を点灯させることができる。
【００８３】
また、本実施の形態に係る照明制御装置２０において、制御部２１は、さらに、各々の選択値を１つの組として生成した制御コマンドを記憶部２２に格納する。
【００８４】
この構成によれば、ユーザにとって好ましい制御コマンドを記憶することができる。
【００８５】
また、本実施の形態に係る照明制御装置２０において、制御部２１は、明暗を繰り返しながら発光モジュール３０が発する光の出力を減衰させるように発光モジュール３０を点灯させる揺らぎモードを有する。そして、制御部２１は、揺らぎモードで発光モジュール３０を制御する場合に、記憶部２２に格納されている制御コマンドを実行する。
【００８６】
この構成によれば、制御部２１が記憶部２２に格納された制御コマンドを実行することで、照明装置１０の操作が簡易になる。
【００８７】
また、本実施の形態に係る照明制御装置２０において、制御部２１は、規定期間において、同一の制御コマンドを使用した使用数を示す履歴情報を記憶部２２に格納する。そして、制御部２１は、履歴情報に基づいて、使用数が規定数以上であれば、制御コマンドを構成する各々の選択値のうちの少なくとも一つを変化させ、変化後の制御コマンドを実行する。
【００８８】
これによれば、制御部２１は、履歴情報に基づいて、同一の制御コマンドの使用数が規定数以上であれば、制御コマンドを構成する各々の選択値のうちの少なくとも一つを変化させる。制御部２１は、変化後の制御コマンドを実行する。このため、同一の制御コマンドを使用する使用数が増えても、ユーザが飽きを感じ難い。また、制御部２１が制御コマンドを構成する各々の選択値のうちの少なくとも一つを変化させるため、簡易に制御コマンドを生成することができる。
【００８９】
また、本実施の形態に係る照明制御装置２０において、制御部２１は、履歴情報に基づいて、使用数が規定数以上であれば、選択値を変化させる頻度を上げる。
【００９０】
この構成によれば、同一の制御コマンドを使用した使用数が規定数以上であれば、選択値を変化させる頻度を上げることで、ユーザが飽きを感じ難い。
【００９１】
また、本実施の形態に係る照明制御装置２０は、さらに、クラウドサーバ９０と通信を行う通信部２３を備える。そして、制御部２１は、通信部２３を介して、揺らぎモードで発光モジュール３０を制御する制御コマンドを、クラウドサーバ９０から受信する。そして、制御部２１は、受信した制御コマンドを記憶部２２に格納する。
【００９２】
これによれば、制御部２１は、通信部２３を介して、揺らぎモードで発光モジュール３０を制御する制御コマンドを受信する。このため、制御コマンドを生成しなくてもクラウドサーバ９０から制御コマンドを簡易に取得することができる。
【００９３】
また、本実施の形態に係る照明装置１０は、さらに、制御コマンドに基づいて発光モジュール３０が発する光の出力を定量的又は定性的に変化させる選択肢を表示する表示部５０を備える。そして、制御部２１は、選択肢で選択された内容に応じ、制御コマンドに基づいて発光モジュール３０が発する光の出力を変更する。
【００９４】
これによれば、制御部２１は、選択肢で選択された内容に応じて、制御コマンドに基づいて発光モジュール３０が発する光の出力を変更する。このため、ユーザが選択肢を選択するだけで、ユーザの好みに合わせた明るさに変更することができる。これより、簡易に発光モジュール３０が発する光の出力を変更することができる。
【００９５】
（実施の形態２）
本実施の形態に係る照明制御装置２０、照明装置１０、照明システム１、照明制御方法及びプログラムについて説明する。
【００９６】
［構成］
本実施の形態では、制御部２１が第１ユーザの第１ユーザ情報と近しい第２ユーザ情報の第２ユーザが保有する制御コマンドを、第１ユーザが取得する点について、実施の形態１と相違する。本実施の形態の照明制御装置２０、照明装置１０、照明システム１、照明制御方法及びプログラムの構成は、特に明記しない場合は、実施の形態と同様であり、同一の構成については同一の符号を付して構成に関する詳細な説明を省略する。
【００９７】
制御部２１は、第１ユーザ自身を特定する個人データ、第１ユーザの活動量を示す活動データ、及び第１ユーザの生活状態を示す生活データのうち、少なくとも一つのデータが、第２ユーザ自身を特定する個人データ、第２ユーザの活動量を示す活動データ、及び第２ユーザの生活状態を示す生活データの少なくとも一つのデータに共通する場合に、通信部２３を介して、クラウドサーバ９０から制御コマンドを受信し、受信した制御コマンドを記憶部２２に格納する。
【００９８】
制御部２１は、第１ユーザ自身を特定する個人データ、第１ユーザの活動量を示す活動データ、及び、第１ユーザの生活状態を示す生活データの、少なくともいずれかを含む第１ユーザ情報と、第２ユーザ自身を特定する個人データ、第２ユーザの活動量を示す活動データ、及び、第２ユーザの生活状態を示す生活データの、少なくともいずれかを含む第２ユーザ情報とを管理する。まず、第１ユーザ情報に含まれる個人データと第２ユーザ情報に含まれる個人データとが共通する場合について説明する。
【００９９】
図７は、各々のユーザの個人データを示す図である。図７では、各々のユーザが端末に登録した個人データを端末Ａ１から端末Ｎ１にそれぞれ紐付けている。図７には、端末Ａ１から端末Ｎ１に対応する個人データが収集されている。第１ユーザが所持する端末機器８０を端末Ａ１とし、第２ユーザが所持する端末機器を端末Ｆ１とする。第１ユーザが端末Ａ１を介して第１ユーザ情報を入力し、第２ユーザが端末Ｆ１を介して第２ユーザ情報を入力しているものとする。なお、第１ユーザ及び第２ユーザを総称してユーザと呼ぶことがある。
【０１００】
個人データは、性別、年代、モードを使用した時間帯、日付居住地域、出身地域、国等を指すデータであり、ユーザ自身を特定するデータである。例えば、ユーザは、端末機器８０に性別情報として、男性又は女性を入力し、年代情報として１０代未満、１０代・・・６０代以上から１つを選択し、使用した時間帯として午前、午後、夕方、夜、就寝前を入力し、居住地域として関西、関東、東北・・・北海道を入力する。その他には、趣味、趣向に関する項目があってもよい。
【０１０１】
つまり、第１ユーザの個人データと第２ユーザの個人データとが共通しているか否かの判断は、例えば、年代が同じ等の場合に、制御部２１が第１ユーザの個人データと第２ユーザの個人データとが共通していると判断する。また、少なくとも複数個以上のデータが同様であることを判定基準としてもよい。
【０１０２】
図７では、年代、出身地域、揺らぎモードを使用した時間帯が同様であるため、制御部２１は、それぞれの個人データは共通すると判断する。図７では、制御部２１は、６つの項目のうち４項目で同様の値を示し、半数以上のデータが一致しているため、第１ユーザと第２ユーザとのそれぞれの個人データが共通していると判断する。つまり、第１ユーザと第２ユーザとの互いの個人データは、近しいと判断できる。
【０１０３】
なお、その他の判定方法として、個人データが共通しているか否かの判断は、個人データを数値化することによって行ってもよい。一例を挙げて説明すると、性別が一致していれば１点、不一致であれば０点を、年代が一致していれば１点、一世代が異なった場合は、０．８点、２世代異なっていれば０．６点といったように数値化し、最も点数の高いユーザを、第１ユーザと個人データが共通していると、制御部２１が判断してもよい。
【０１０４】
次に、第１ユーザ情報に含まれる活動データと第２ユーザ情報に含まれる活動データとが共通する場合について説明する。
【０１０５】
図８は、各々のユーザの活動データを示す図である。
【０１０６】
図８に示すように、活動データは、日中の歩数、睡眠時間、睡眠時間帯を示すデータであり、第１ユーザの活動量を示すデータである。活動データは、ユーザの活動量を検知したものであれば、いつのデータでもよい。また、活動データの取得手段は、ユーザ自身が手動で入力したり、ユーザ自身が端末機器８０を介して入力したり、センサ等によって自動で取得してもよく、その手段は問わない。
【０１０７】
例えば、ユーザは、端末機器８０に１日の行動データとして、１日の歩数及び睡眠時間を入力する。これを、１か月間入力を続ける。１週間あたりの１日平均では、端末Ａ１の第１ユーザと端末Ｆ１の第２ユーザとの間には共通点が存在しないが、１か月あたりの１日平均では、端末Ａ１の第１ユーザと端末Ｆ１の第２ユーザとの間に共通点が現れる。
【０１０８】
つまり、第１ユーザの行動データと第２ユーザの行動データとが共通しているか否かの判断は、例えば、１日の歩数、睡眠時間、及び睡眠時間帯の少なくとも一部が同等の場合に、制御部２１は、第１ユーザの行動データと第２ユーザの行動データとが共通すると判断する。例えば、１か月あたりの１日平均において、端末Ａ１では歩数が５４００歩に対して端末Ｆ１では歩数が５８００歩であり、端末Ａ１では睡眠時間が６．２時間に対して端末Ｆ１では睡眠時間が６．０時間であり、睡眠時間帯は互いに夜である。端末Ａ１及び端末Ｆ１では、歩数、及び睡眠時間に対する誤差が１割以内であるため、歩数、及び睡眠時間が同等であるとする。これにより、制御部２１は、端末Ａ１の第１ユーザと端末Ｆ１の第２ユーザとが共通すると判断する。
【０１０９】
なお、歩数、及び睡眠時間に対する誤差が１割以内である場合に、歩数、及び睡眠時間が同等であるとしたが、１割に限定されず、１割以上であってもよく１割未満であってもよい。この数値は、任意に設定することができる。
【０１１０】
次に、第１ユーザ情報に含まれる生活データと第２ユーザ情報に含まれる生活データとが共通する場合について説明する。
【０１１１】
図９は、各々のユーザの生活データを示す図である。
【０１１２】
図９に示すように、生活データは、ウェブブラウジング時の検索ワード、ＳＮＳ、Ｉｎｓｔａｇｒａｍ等における検索情報、電子購入サイトにおける購買履歴等の生活履歴情報であり、ユーザの生活状態を示すデータである。例えば、生活データは、制御部２１が通信部２３を介してクラウドサーバ等から取得してもよく、記憶部２２に格納されている生活履歴情報から取得してもよい。
【０１１３】
つまり、第１ユーザの生活データと第２ユーザの生活データとが共通しているか否かの判断は、例えば、検索ワード、ＳＮＳ、電子購入サイト履歴の少なくとも一部が同等の場合に、制御部２１は、第１ユーザの生活データと第２ユーザの生活データとが共通していると判断する。例えば、端末Ａ１及び端末Ｆ１の検索ワードが共に車であり、端末Ａ１及び端末Ｆ１のＳＮＳが共に旅行であり、端末Ａ１の電子購入サイト履歴がイヤホンに対して、端末Ｆ１の電子購入サイト履歴がスピーカである。電子購入サイト履歴のイヤホンとスピーカとで異なっているが、検索ワード及びＳＮＳで一致しているため、制御部２１は、端末Ａ１の第１ユーザと端末Ｆ１の第２ユーザとが共通すると判断する。
【０１１４】
また、制御部２１は、第１ユーザ及び第２ユーザのそれぞれのアカウント情報を記憶部２２に登録する。つまり、制御部２１は、第１ユーザのアカウント情報に対応した制御コマンド及び第１ユーザ情報を記憶部２２に登録させ、かつ、第２ユーザのアカウント情報に対応した制御コマンド及び第２ユーザ情報を記憶部２２に登録させる。制御部２１は、第１ユーザ及び第２ユーザのそれぞれのアカウント情報に対応する、記憶部２２に格納されたそれぞれの制御コマンドへのアクセスを管理する。ここでいうアカウント情報とは、各々のユーザ情報を記憶部２２に登録するための個別の格納庫を形成するユーザアカウントである。
【０１１５】
制御部は、記憶部に記憶されたユーザのアカウント情報を参照して、アクセスしてくる各ユーザが属するユーザに割り当てられた記憶領域上の部分記憶領域に対してのみアクセスを許可するアクセス管理部を有する。なお、アクセス管理部は、制御部とは別の装置として、照明制御装置に備えられていてもよい。
【０１１６】
制御部２１は、各々のユーザのアカウント情報に対応した各々の制御コマンドにおいても、各々のユーザが共通しているか否かを判断できる。また、制御部２１は、アカウント情報に対応する制御コマンドの記憶部２２への保存を、ユーザごとに行う。
【０１１７】
記憶部２２には、ユーザごとのアカウント情報が格納され、ユーザのアカウント情報に対応した制御コマンドが格納されている。
【０１１８】
［動作］
次に、照明制御装置２０、照明装置１０、照明システム１、照明制御方法及びプログラムの動作について、図１０を用いて説明する。
【０１１９】
図１０は、実施の形態２に係る照明制御装置２０がクラウドサーバ９０から制御コマンドを取得する工程を示すフロー図である。
【０１２０】
まず、制御部２１は、第１ユーザ情報の一部と第２ユーザ情報の一部とが共通するか否かを判断する（Ｓ１）。具体的には、制御部２１は、第１ユーザ自身を特定する個人データ、第１ユーザの活動量を示す活動データ、及び第１ユーザの生活状態を示す生活データのうち、少なくとも一つのデータが、第２ユーザ自身を特定する個人データ、第２ユーザの活動量を示す活動データ、及び第２ユーザの生活状態を示す生活データの少なくとも一つのデータに共通するか否かを判断する。
【０１２１】
第１ユーザ自身を特定する個人データ、第１ユーザの活動量を示す活動データ、及び第１ユーザの生活状態を示す生活データのうち、少なくとも一つのデータが、第２ユーザ自身を特定する個人データ、第２ユーザの活動量を示す活動データ、及び第２ユーザの生活状態を示す生活データの少なくとも一つのデータに共通すると制御部２１が判断した場合（Ｓ１でＹＥＳ）、制御部２１は、共通する第２ユーザを抽出し、通信部２３を介し、第２ユーザが生成した制御コマンドのリストを送信するように、クラウドサーバに対してリスト送信要求を行う（Ｓ２）。
【０１２２】
クラウドサーバがリスト送信要求を取得すると、クラウドサーバは、照明装置１０に対して、第２ユーザが生成した制御コマンドのリストを送信する。制御部２１は、クラウドサーバから、制御コマンドのリストを表示部５０に表示させる（Ｓ３）。
【０１２３】
次に、ユーザは、操作部４０を介して、リストから所望の制御コマンドを選択し（Ｓ４）、通信部２３を介して、クラウドサーバに対し制御コマンドを送信するように制御コマンド送信要求を行う（Ｓ５）。クラウドサーバは、選択された制御コマンドを照明装置１０に対して送信する。
【０１２４】
照明装置１０の制御部２１は、通信部２３を介してこの制御コマンドを受信する。制御部２１は、受信した制御コマンドを記憶部２２に格納する（Ｓ６）。そして、制御部２１は、このフローを終了する。
【０１２５】
一方、第１ユーザ自身を特定する個人データ、第１ユーザの活動量を示す活動データ、及び第１ユーザの生活状態を示す生活データのうち、少なくとも一つのデータが、第２ユーザ自身を特定する個人データ、第２ユーザの活動量を示す活動データ、及び第２ユーザの生活状態を示す生活データの少なくとも一つのデータに共通していないと制御部２１が判断した場合（Ｓ１でＮＯ）、制御部２１は、このフローを終了する。
【０１２６】
［作用効果］
次に、本実施の形態における照明制御装置２０、照明装置１０、照明システム１、照明制御方法及びプログラムの作用効果について説明する。
【０１２７】
上述したように、本実施の形態に係る照明制御装置２０において、制御部２１は、第１ユーザ自身を特定する個人データ、第１ユーザの活動量を示す活動データ、及び第１ユーザの生活状態を示す生活データのうち、少なくとも一つのデータが、第２ユーザ自身を特定する個人データ、第２ユーザの活動量を示す活動データ、及び第２ユーザの生活状態を示す生活データの少なくとも一つのデータに共通する場合に、通信部２３を介して、クラウドサーバ９０から制御コマンドを受信する。そして、制御部２１は、受信した制御コマンドを記憶部２２に格納する。
【０１２８】
これによれば、制御部２１は、第１ユーザ自身を特定する個人データ、第１ユーザの活動量を示す活動データ、及び第１ユーザの生活状態を示す生活データのうち、少なくとも一つのデータが、第２ユーザ自身を特定する個人データ、第２ユーザの活動量を示す活動データ、及び第２ユーザの生活状態を示す生活データの少なくとも一つのデータに共通する場合に、通信部２３を介して、外部機器から制御コマンドを受信する。このように、制御部２１が個人データ、活動データ、及び、生活データに基づいて、ユーザの特徴に近い他のユーザを抽出することで、照明制御装置２０は、ユーザにより適した制御コマンドを取得することができる。このため、制御コマンドをより簡易に取得することができる。
【０１２９】
また、本実施の形態に係る照明制御装置２０において、制御部２１は、第１ユーザ自身を特定する個人データ、第１ユーザの活動量を示す活動データ、及び、第１ユーザの生活状態を示す生活データの、少なくともいずれかを含む第１ユーザ情報と、第２ユーザ自身を特定する個人データ、第２ユーザの活動量を示す活動データ、及び、第２ユーザの生活状態を示す生活データの、少なくともいずれかを含む第２ユーザ情報とを管理する。また、制御部２１は、第１ユーザ及び第２ユーザのそれぞれのアカウント情報を記憶部２２に登録する。さらに、制御部２１は、第１ユーザのアカウント情報に対応した制御コマンド及び第１ユーザ情報を記憶部２２に登録させ、かつ、第２ユーザのアカウント情報に対応した制御コマンド及び第２ユーザ情報を記憶部２２に登録させ、そして、制御部２１は、第１ユーザ及び第２ユーザのそれぞれのアカウント情報に対応する、記憶部２２に格納されたそれぞれの制御コマンドへのアクセスを管理する。
【０１３０】
これによれば、制御部２１は、第１ユーザのアカウント情報に対応した制御コマンド及び第１ユーザ情報を記憶部２２に登録させ、かつ、第２ユーザのアカウント情報に対応した制御コマンド及び第２ユーザ情報を記憶部２２に登録させる。制御部２１は、第１ユーザ及び第２ユーザのそれぞれのアカウント情報に対応する、記憶部２２に格納されたそれぞれの制御コマンドへのアクセスを管理する。このため、照明制御装置２０を搭載した照明装置であれば、同一の装置で複数人のアカウント情報を保有することで、複数人のユーザが、各々のユーザに応じた照明を行うように、１つの照明装置を使用することができる。
【０１３１】
（実施の形態３）
本実施の形態に係る照明制御装置３２０、照明装置１０、照明システム１、照明制御方法及びプログラムについて説明する。
【０１３２】
［構成］
図１１は、実施の形態３に係る照明システム１のブロック図である。
【０１３３】
本実施の形態では、照明制御装置３２０が履歴分析部３２１をさらに備えている点について、実施の形態１と相違する。本実施の形態の照明制御装置３２０、照明装置１０、照明システム１、照明制御方法及びプログラムの構成は、特に明記しない場合は、実施の形態１と同様であり、同一の構成については同一の符号を付して構成に関する詳細な説明を省略する。
【０１３４】
照明制御装置３２０は、制御部２１、記憶部２２、及び、通信部２３の他に、履歴分析部３２１を備える。
【０１３５】
履歴分析部３２１は、各々の選択値を選択した履歴を分析する。つまり、履歴分析部３２１は、記憶部２２に記憶された複数の制御コマンドを構成する各々の選択値を、項目ごとに分類し、各々の項目内で同一の選択値を選択した頻度が規定値以上となる高頻度選択値を抽出し、抽出した高頻度選択値を制御部２１に出力する。
【０１３６】
制御部２１は、制御コマンドを構成する各々の選択値のうちの、高頻度選択値の対象となる選択値を、変化させる対象から除外する。つまり、制御部２１は、履歴情報に基づいて、使用数が規定数以上であれば、制御コマンドを構成する各々の選択値のうちの少なくとも一つを変化させていた。しかし、これにより、制御部２１は、除外の対象となった高頻度選択値については、制御コマンドを構成する選択値を変化させない。
【０１３７】
図１２を用いて、例を挙げて説明する。図１１は、複数の制御コマンドを例示した図である。
【０１３８】
図１２に示すように、ここでは、同一のユーザにおいて、１０個の制御コマンドが記憶部２２に格納されている場合を想定する。図１２では、制御コマンドを構成する複数の項目の一例として、最大振幅Ａ、最小振幅Ｂ、制御時間Ｃ、合計制御時間Ｉ、カーブＤ、カーブＥを用いる。ここでは、制御時間Ｃ、カーブＤ、カーブＥを用いて説明する。
【０１３９】
制御時間Ｃを見ると、制御時間Ｃの中で一致している数が最も多いのは、制御時間が１５ｓｅｃであり、制御時間が１５ｓｅｃとなっているものが５つ存在している。また、カーブＤを見ると、カーブＤの中で一致している数が最も多いのは、第１円弧Ｄ１であり、第１円弧Ｄ１が８つ存在している。また、カーブＥを見ると、カーブＥの中で一致している数が最も多いのは、第１円弧Ｅ１であり、第１円弧Ｅ１が５つ存在している。制御時間Ｃ、カーブＤ、及びカーブＥでは、一致している曲線Ｄ１、Ｅ１の数が過半数を超えているため、曲線Ｄ１、Ｅ１がユーザ固有の好みの選択値であるとして、制御部２１は、制御時間Ｃ、カーブＤ、及びカーブＥを認定する。これにより、制御部２１は、認定後、揺らぎモードにおいて、制御時間Ｃ、カーブＤ、及びカーブＥについて、変更を行う候補としないことを決定する。
【０１４０】
制御部２１は、曲線Ｅ１と直線Ｅ０は同数ずつ存在するが、この場合、ランダムで曲線Ｅ１か直線Ｅ０かを決定してもよく、２つともユーザ固有の好みの選択値であるとして、変更を行う候補としないことを決定してもよい。
【０１４１】
なお、ここでは、各々の項目のうち、各々の選択値が一致しているとされる数が、過半数を超えている場合を例にしたが、ユーザ固有の好みの選択値として判定する基準は、過半数に限定しない。保存されている制御コマンドに対して、ユーザ固有の好みの選択値が規定の割を占めているかによって、ユーザ固有の好みの選択値としてもよい。また、実験計画法に沿って選択値を評価してもよい。さらに、保存された制御コマンドが極端に少ない場合、このようなユーザ固有の好みの選択値を認定することを行わなくてもよい。例えば、１０以上等といった規定数以上の制御コマンドが保存されている場合に、このようなユーザ固有の好みの選択値を認定してもよい。
【０１４２】
［動作］
次に、照明制御装置３２０、照明装置１０、照明システム１、照明制御方法及びプログラムの動作について、図１３を用いて説明する。
【０１４３】
図１３は、複数の制御コマンドから抽出した高頻度選択値を除外する工程を示すフロー図である。
【０１４４】
図１３に示すように、まず、履歴分析部３２１は、複数の制御コマンドのうち、項目ごとに対応する選択値が過半数以上存在しているか否かを判断する（Ｓ１１）。この判断は、各々の項目ごとに行う。
【０１４５】
次に、一致する選択値が過半数以上存在していると履歴分析部３２１が判断した場合（Ｓ１１でＹＥＳ）、履歴分析部３２１は、過半数以上存在していると判断した選択値を抽出する（Ｓ１２）。この抽出は、各々の項目ごとに行う。履歴分析部３２１は、高頻度選択値を制御部２１に出力する。この出力は、各々の項目ごとに行う。
【０１４６】
次に、制御部２１は、各々の高頻度選択値を履歴分析部３２１から取得し、制御コマンドを構成する各々の選択値のうちの、取得した各々の高頻度選択値の対象となる選択値を、変化させる対象から除外する（Ｓ１３）。そして、制御部２１は、この処理を終了する。
【０１４７】
一方、一致する選択値が過半数以上存在していないと履歴分析部３２１が判断した場合（Ｓ１１でＮＯ）、履歴分析部３２１は、各々の選択値のうち、最も多く存在している選択値を抽出する（Ｓ１４）。抽出した選択値を高頻度選択値とする。この抽出も、各々の項目ごとに行う。履歴分析部３２１は、高頻度選択値を制御部２１に出力する。この出力も、各々の項目ごとに行う。そして、ステップＳ１３に進む。
【０１４８】
これにより、制御部２１は、除外の対象となった高頻度選択値については、制御コマンドを構成する選択値を変化させない。言い換えれば、制御部２１は、高頻度選択値として抽出されない選択値を変化させる。
【０１４９】
［作用効果］
次に、本実施の形態における照明制御装置３２０、照明装置１０、照明システム１、照明制御方法及びプログラムの作用効果について説明する。
【０１５０】
上述したように、本実施の形態に係る照明制御装置３２０は、さらに、各々の選択値を選択した履歴を分析する履歴分析部３２１を備える。また、履歴分析部３２１は、記憶部２２に記憶された複数の制御コマンドを構成する各々の選択値を、項目ごとに分類し、各々の項目内で同一の選択値を選択した頻度が規定値以上となる高頻度選択値を抽出し、抽出した高頻度選択値を制御部２１に出力する。そして、制御部２１は、制御コマンドを構成する各々の選択値のうちの、高頻度選択値の対象となる選択値を、変化させる対象から除外する。
【０１５１】
これによれば、履歴分析部３２１は、複数の制御コマンドを構成する各々の選択値を、項目ごとに分類し、各々の項目内で同一の選択値を選択した頻度が規定値以上となる高頻度選択値を抽出し、高頻度選択値を制御部２１に出力する。制御部２１は、制御コマンドを構成する各々の選択値のうちの、高頻度選択値の対象となる選択値を、変化させる対象から除外する。高頻度選択値として抽出された選択値は、ユーザ固有の好みの選択値と考えられる。このことから、ユーザ固有の好みの選択値以外の選択値を変化させる対象とすることで、よりユーザの好みに近い制御コマンドを生成することができる。このため、好みの制御コマンドを簡易に生成することができる。
【０１５２】
本実施の形態における他の作用効果についても、実施の形態１と同様の作用効果を奏する。
【０１５３】
（その他変形例等）
以上、本開示について、実施の形態１〜３に基づいて説明したが、本開示は、上記実施の形態１〜３に限定されるものではない。
【０１５４】
例えば、上記実施の形態３に係る照明制御装置４８１、照明装置１０、照明システム１、照明制御方法及びプログラムにおいて、図１４に示すように、照明制御装置４８１は、端末機器４８０に搭載されてもよい。図１４は、変形例に係る照明システム１のブロック図である。照明制御装置４８１は、制御部４８２と、記憶部４８４と、履歴分析部４８３と、通信部４８６とを有する。照明装置１０は、制御部１２１、通信部１２３と、発光モジュール３０と、操作部４０と、表示部５０とを有する。
【０１５５】
上記実施の形態３に係る照明システム１は、照明制御装置４８１を搭載する端末機器４８０と、光を発する発光モジュール３０とを備える。そして、照明システム１は、端末機器４８０は、第１ユーザの個人データ、第１ユーザの活動データ、及び、第１ユーザの生活データのうち、少なくとも一つのデータが、第２ユーザの個人データ、第２ユーザの活動データ、及び、第２ユーザの生活データの少なくとも一つのデータに共通する場合に、通信部１２３を介して、クラウドサーバ９０から制御コマンドを受信する。
【０１５６】
これによれば、端末機器４８０が、第１ユーザの個人データ、第１ユーザの活動データ、及び、第１ユーザの生活データのうち、少なくとも一つのデータが、第２ユーザの個人データ、第２ユーザの活動データ、及び、第２ユーザの生活データの少なくとも一つのデータに共通する場合に、通信部４８６を介して、クラウドサーバ９０から制御コマンドを受信する。このように、制御部４８２が個人データ、活動データ、及び、生活データに基づいて、ユーザの特徴に近い他のユーザを抽出することで、照明制御装置４８１は、ユーザにより適した制御コマンドを取得することができる。このため、制御コマンドをより簡易に取得することができる。
【０１５７】
また、上記実施の形態１〜３に係る照明制御装置、照明装置、照明システム、照明制御方法及びプログラムにおいて、制御コマンドは、ユーザの操作によって記憶されてもよく、新たな制御コマンドが生成された際又は規定の時間経過後に、自動的に制御部が記憶部に格納してもよい。また、センサによりユーザの生体信号を計測し、計測した情報に基づいて、制御コマンドを記憶部に格納してもよい。例えば、手首にセンサを装着し、心拍数を計測し、普段の心拍数よりもゆるやかな心拍数となった場合に、普段よりもリラックスしていることが考えられるため、ユーザが保存動作を行わなくとも、制御部が制御コマンドを自動的に記憶部に格納してもよい。
【０１５８】
また、上記実施の形態１〜３に係る照明制御装置、照明装置、照明システム、照明制御方法及びプログラムにおいて、ユーザは、操作部を介して、記憶部に格納された制御コマンドの保存度合いを選択することができてもよい。保存の度合いは、例えば「永久保存」、「一時保存」、「通常保存」等の形式でもよい。保存の度合いは、制御コマンドの評価として扱ってもよい。
【０１５９】
また、上記実施の形態１〜３に係る照明制御装置、照明装置、照明システム、照明制御方法及びプログラムにおいて、連続使用日数のカウントは、記憶部に格納した制御コマンドを実行した場合に、カウントを０に戻さなくてもよく、カウントを積算しなくてもよい。具体的には、連続使用日数２日目に制御コマンドを記憶部に格納し、連続使用日数３日目に記憶部に格納した制御コマンドを実行し、かつ、連続使用日数４日目も記憶部に格納した制御コマンドを実行した場合に、連続使用日数が３日目であると位置づけて、記憶部に格納した制御コマンドを変化させてもよい。
【０１６０】
また、上記実施の形態１〜３に係る照明制御装置、照明装置、照明システム、照明制御方法及びプログラムに含まれる各処理部は、典型的に集積回路であるＬＳＩとして実現される。これらは個別に１チップ化されてもよいし、一部又は全てを含むように１チップ化されてもよい。
【０１６１】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１６２】
なお、上記各実施の形態１〜３において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【０１６３】
また、上記で用いた数字は、全て本開示を具体的に説明するために例示するものであり、本開示の実施の形態は例示された数字に制限されない。
【０１６４】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１６５】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１６６】
その他、実施の形態１〜３に対して当業者が思いつく各種変形を施して得られる形態、本開示の趣旨を逸脱しない範囲で実施の形態１〜３における構成要素及び機能を任意に組み合わせることで実現される形態も本開示に含まれる。
【符号の説明】
【０１６７】
１  照明システム
１０  照明装置
２０、３２０、４８１  照明制御装置
２１、１２１、４８２  制御部
２２、４８４  記憶部
２３、１２３、４８６  通信部
３０  発光モジュール（光源部）
４０  操作部（指示部）
５０  表示部
８０、４８０  端末機器
９０  クラウドサーバ（外部装置）
３２１、４８３  履歴分析部
【図１】
2019129116.tif 000003
【図２】
2019129116.tif 000004
【図３Ａ】
2019129116.tif 000005
【図３Ｂ】
2019129116.tif 000006
【図３Ｃ】
2019129116.tif 000007
【図４】
2019129116.tif 000008
【図５Ａ】
2019129116.tif 000009
【図５Ｂ】
2019129116.tif 000010
【図６】
2019129116.tif 000011
【図７】
2019129116.tif 000012
【図８】
2019129116.tif 000013
【図９】
2019129116.tif 000014
【図１０】
2019129116.tif 000015
【図１１】
2019129116.tif 000016
【図１２】
2019129116.tif 000017
【図１３】
2019129116.tif 000018
【図１４】
2019129116.tif 000019